(57)【要約】【課題】  放送受信装置の受信地域が変わったとき、新しい地域のチャンネルプリセットではなく、馴染みのプリセットで視聴できるようにする。また、地方局のチャンネル配列に空きチャンネルがある時はその空きチャンネルにプリセットも可能とする。【解決手段】  各地域のチャンネルプリセット情報に、放送系列というパラメータを追加し、それを元に、慣れ親しんだチャンネルマップのまま、新しい地域に対応したプリセットを行う。【選択図】        図１
2007124430.tif 000002
【特許請求の範囲】
【請求項１】
放送信号受信装置のチャンネルプリセット方法において、各地域のチャンネルプリセット情報に、放送系列というパラメータを追加し、それを元に、慣れ親しんだチャンネルマップのまま、新しい地域に対応したプリセットを行うことを特徴とする地域指定チャンネルプリセット方法。
【請求項２】
請求項１に記載の地域指定チャンネルプリセット方法において、新しい地域に地方局があった場合、慣れ親しんだ地域に地方局があれば、リモコン番号に自動的に割り当て、なければ空きチャンネルの最小チャンネルに登録することを特徴とする地域指定チャンネルプリセット方法。
【請求項３】
請求項１に記載の地域指定チャンネルプリセット方法において、電子番組表に対して、チャンネルマップ情報保存手段に保存されたチャンネルマップを反映させて、表示、予約を行うことを特徴とする地域指定チャンネルプリセット方法。
【請求項４】
地域別放送のチャンネルマップ情報記憶手段、所望の地域情報の記憶手段、現在の地域情報の記憶手段、チャンネルマップ情報保存手段、制御手段を備えた放送信号受信装置の地域指定チャンネルプリセット装置において、
前記所望の地域情報の記憶手段及び前記現在の地域情報の記憶手段に格納されたチャンネルプリセット情報に、放送系列というパラメータを追加し、それを元に、慣れ親しんだチャンネルマップのまま、新しい地域に対応したプリセットを作成して、前記チャンネルマップ情報保存手段に格納することを特徴とする地域指定チャンネルプリセット装置。
【請求項５】
請求項４に記載の地域指定チャンネルプリセット装置において、地域情報取得手段及び地域情報入力手段を備え、新しい地域に地方局があった場合、慣れ親しんだ地域に地方局があれば、リモコン番号に自動的に割り当て、なければ空きチャンネルの最小チャンネルに登録することを特徴とする地域指定チャンネルプリセット装置。
【請求項６】
請求項４に記載の地域指定チャンネルプリセット装置において、電子番組表の予約手段を備え、前記電子番組表に対して、前記チャンネルマップ情報保存手段に保存されたチャンネルマップを反映させて、表示、予約を行うことを特徴とする地域指定チャンネルプリセット装置。
【発明の詳細な説明】
【技術分野】
【０００１】
本発明は、放送信号受信装置のチャンネルプリセット方法及び装置に関し、とくに、地域指定チャンネルプリセットの可能な方法及び装置に関する。
ここに、「放送信号」とは、一般のテレビ放送、ＣＡＴＶ放送、インターネットによる放送、サーバーに一旦保存した後の再配信放送等の放送信号のいずれの放送信号でも良く、「受信装置」は、テレビジョン装置、（外部・内部）チューナ付きパソコン、表示装置を有する一般の機器に外部チューナを接続した装置等である。
【背景技術】
【０００２】
テレビ放送もデジタル信号時代に入り、通信のインフラも従来の地上波放送、放送衛星を用いたＢＳ・ＣＳ放送、ケーブルテレビ（ＣＡＴＶ）放送、インターネットによる番組配信サービス放送、サーバー型放送等種々のブロードバンド型放送サービスが予定されている。また、テレビとパソコンの融合、テレビと通信の融合等も近づいている。
一般の地上デジタル放送やモバイルＴＶ・携帯電話内蔵ＴＶ、各地域のＣＡＴＶ放送、各地域独自のインターネット放送等各地域の放送信号を受信しているユーザーが、地域を移動した時でも番組選局をし易くすることが必要となっている。
特許文献１には、リモコンの各放送局の系列名ボタンが押されると、本体側ではこの系列局情報から、予め設定されている地域コードのチャンネルデータを検索し、該当チャンネルを選局する映像機器が記載されている。
また、特許文献２には、各地域のプリセット情報をＲＯＭに保存しておき、指定された地域に応じて、プリセットを行うチューナのオートプリセット装置が記載されている。
【特許文献１】特開２００５−６０５８号公報
【特許文献２】特開平５−３２８２３７号公報
【発明の開示】
【発明が解決しようとする課題】
【０００３】
しかしながら、上記の従来技術は、系列名ボタンを押して、系列局情報から、予め設定されている地域コードのチャンネルデータを検索し、該当チャンネルを選局すること、及び、指定された地域に応じて、各地域のプリセットを行うことに過ぎない。
【０００４】
本発明は、放送信号受信装置の受信地域が変わったとき、新しい地域のチャンネルプリセットではなく、馴染みのプリセットで視聴できるようにすること、また、地方局のチャンネル配列に空きチャンネルがある時はその空きチャンネルにプリセットも可能とすることを目的とする。
【課題を解決するための手段】
【０００５】
本発明は、放送信号受信装置の各地域のチャンネルプリセット情報に、放送系列というパラメータを追加し、それを元に、慣れ親しんだチャンネルマップのまま、新しい地域に対応したプリセットを行うことを特徴とする。
【発明の効果】
【０００６】
本発明によれば、放送信号受信装置の受信地域が変わったとき、新しい地域のチャンネルプリセットではなく、馴染みのプリセットで視聴できるようにすることができる。
【発明を実施するための最良の形態】
【０００７】
以下、図面を用いて、本発明の実施の形態について説明する。
まず、本発明の地域指定チャンネルプリセットにより、どのようなどのような効果が得られるかについて、具体例について説明する。
【０００８】
以下の表には、チャンネルマップの比較が示されている。
【表１】
2007124430.tif 000003
例えば、名古屋から矢板に受信地域を移したときを考える。通常、プリセット情報をＲＯＭから参照すると、Ｂのチャンネルマップになる。しかし、名古屋のチャンネルマップになれた人にとっては、ＮＨＫ総合を見るときには、例えば習慣でリモコン装置本体（図示しない）のチャンネル番号３のボタンを押してしまう。そこで、名古屋の放送系列を元に、プリセットしたものが、Ｃである。こうすることで、操作者はリモコン装置本体の使い慣れたチャンネルボタン配置と同じ感覚でチャンネルボタンを使用して選局することが可能となる。すなわち元の居住地域で受信していたチャンネルマップで、ＴＶ視聴をすることができようになる。
【実施例１】
【０００９】
図１に、本発明の実施例１の地域指定チャンネルプリセット装置のブロック図を示す。
図１の地域指定チャンネルプリセット装置において、１は地域別放送のチャンネルマップ情報記憶手段、２は所望の地域情報の記憶手段、３は現在の地域情報の記憶手段、４はチャンネルマップ情報保存手段、５はマイクロコンピュータ、６は地域情報取得手段、７は地域情報入力手段、８はＥＰＧ予約手段、９は選局手段、１０は表示手段を示す。
【００１０】
また、表２には、所望の地域（リモコン選局に慣れ親しんだ）地域Ａと、現在の地域Ｂのチャンネル情報（表２−１）と、地域Ａの放送系列に地域Ｂの受信チャンネルを組み合わせた、新しいチャンネルマップ（表２−２）が示されている。
【表２】
2007124430.tif 000004
【００１１】
チャンネルマップの作成では、所望の地域情報の記憶手段２に記憶された所望の地域と現在の地域情報の記憶手段３に記憶された現在の地域のチャンネルマップから、放送系列に注目して、新しいチャンネルマップを作成して、チャンネルマップ情報保存手段４に保存する。
【００１２】
次に、地域別放送チャンネルマップ情報記憶手段１に記憶された放送系列情報を有する地域別放送チャンネルから、所望の地域情報の記憶手段２に保存された所望の（リモコン選局に慣れ親しんだ）地域と現在の地域情報の記憶手段３に保存された現在の地域のチャンネル情報（表１）に注目し、地域Ａの放送系列に地域Ｂの受信チャンネルを組み合わせた、新しいチャンネルマップ（表２）を作成し、チャンネルマップ情報保存手段４に保存する。
【００１３】
図２には、チャンネルマップを作成する具体的なフローチャートを示す。
ステップ１１において、チャンネルマップ作成を開始すると、リモコン番号Ｒ１を１に設定する。次に、ステップ１２において、地域Ａ（リモコン選局に慣れ親しんだ地域）においてリモコン番号Ｒ１に対応した放送系列Ｋ１を取得する。次に、ステップ１３において、地域Ｂ（現在の地域）において、地域Ａと同一の放送系列Ｋ１があるかどうかを判定する。
【００１４】
ステップ１３において、地域Ｂにおいて、地域Ａと同一の放送系列Ｋ１がある場合には、地域Ｂにおいて、放送系列Ｋ１に対応した受信チャンネルＣ２を取得する。次に、ステップ１５に移行し、チャンネルマップ情報保存手段４に記憶されたチャンネルマップのリモコン番号Ｒ１の受信チャンネルＣ３にＣ２を保存する。次に、ステップ１６に移行し、リモコン番号が最大の値であるかどうかが判定される。
【００１５】
リモコン番号が最大値に達していない場合には、リモコン番号に１を加算して、ステップ１２に移行し、ステップ１２からのチャンネルマップ作成のフローを繰り返し、リモコン番号が最大値である場合には、チャンネルマップ作成のフローを停止する。
【００１６】
図３には、地域Ａと地域Ｂの入力方法を示す。
ステップ２１において、地域入力のフローが開始されると、ステップ２２に移行し、所望の地域情報の記憶手段２に地域Ａが既に入力されているかどうかが判定される。
所望の地域情報の記憶手段２に地域Ａが既に入力されている場合は（そこが所望の地域である可能性が高いので）、ステップ２３において、ユーザーに変更の有無を確認し、必要な場合のみ、ステップ２４において、地域情報入力手段７により変更入力を促す。
【００１７】
ステップ２３において、地域Ｂは、地域情報取得手段６から自動的に地域情報を取得し、取得できなかった場合には、地域情報入力手段７により変更入力を促す。
これら２つ情報を、は所望の地域情報の記憶手段２、現在の地域情報の記憶手段３に保存した後、チャンネルマップの作成を行う。
【００１８】
地方放送局の扱いについては、地域Ｂに地方局があった場合、地域Ａに地方局があれば、そのリモコン番号に自動的に割り当て、なければ、空チャンネルの最小チャンネルに登録する。
【００１９】
ＥＰＧ（電子番組表）の対応については、ＥＰＧに対しても、チャンネルマップ情報保存手段４に保存されたチャンネルマップを反映させ、表示、予約を行うように設定する。
【００２０】
なお、上記の実施例１では、主としてテレビジョン装置の地域指定チャンネルプリセット方法及び装置について説明したが、本発明の地域指定チャンネルプリセット方法及び装置は、テレビジョン放送に限らず、一般のテレビ放送、ＣＡＴＶ放送、インターネットによる放送、サーバーに一旦保存した後の再配信放送等の放送信号を受信する放送信号受信装置に適用可能であり、また、受信装置としても、テレビジョン装置、（外部・内部）チューナ付きパソコン、表示装置を有する一般の機器に外部チューナを接続した機器等に適宜応用可能である。
【図面の簡単な説明】
【００２１】
【図１】図１は、本発明の実施例１の地域指定チャンネルプリセット装置のブロック図を示す。である。
【図２】図２は、本発明の実施例１のチャンネルマップを作成するフローチャートである。
【図３】図３は、本発明の実施例１の地域Ａと地域Ｂの入力方法を示すフローチャートである。
【符号の説明】
【００２２】
１    地域別放送のチャンネルマップ情報記憶手段
２    所望の地域情報の記憶手段
３    現在の地域情報の記憶手段
４    チャンネルマップ情報保存手段
５    マイクロコンピュータ
６    地域情報取得手段
７    地域情報入力手段
８    ＥＰＧ予約手段
９    選局手段
１０    表示手段
【図１】
2007124430.tif 000005
【図２】
2007124430.tif 000006
【図３】
2007124430.tif 000007